(57)【要約】      （修正有）【課題】  撮影する側、人間の脳波をコンピュータで解析する研究をする側と撮影される側、人間の脳波をコンピュータで解析される側の両方の功績をたたえるビジネスモデル方法を構築して、それをソフトウェアとハードウェア資源とが協働した具体的な手段で実現して、安全と発展に役立てること。【解決手段】  インターネット上の認定協会で、撮影する側や人間の脳波を脳波解析サーバーで解析する側には、撮影される側や人間の脳波を脳波解析サーバーで解析される側を利用して研究した内容によって獲得した改善ポイント数によって改善名誉賞を与え、撮影される側や人間の脳波を脳波解析サーバーで解析される側には、研究された内容によって撮影する側や人間の脳波を脳波解析サーバーで解析する側が研究した内容によって獲得した慰労ポイント数によって慰労金を与えるサービス方法を提供する。【選択図】  図１
2006331332.tif 000002
【特許請求の範囲】
【請求項１】
インターネット上の認定協会で、改善名誉賞や慰労金を与えるサービス方法において、撮影する側や人間の脳波を脳波解析サーバーで解析する側の氏名と研究した内容、ポイント査定期間、重要度ポイント、難易度ポイント、評価ポイント、撮影される側や人間の脳波を脳波解析サーバーで解析される側の氏名と研究された内容をインターネットを介して功績認定サーバーに入力されるステップ、功績認定サーバーが撮影する側や人間の脳波を脳波解析サーバーで解析する側の氏名に基づいて改善者リスト記憶手段に記憶された改善者の電子メールアドレスを取得するステップ、功績認定サーバーが撮影される側や人間の脳波を脳波解析サーバーで解析される側の氏名に基づいて慰労者リスト記憶手段に記憶された慰労者の電子メールアドレスを取得するステップ、功績認定サーバーが撮影する側や人間の脳波を脳波解析サーバーで解析する側の氏名に基づいて改善者リスト記憶手段に研究した内容を更新するステップ、功績認定サーバーが撮影される側や人間の脳波を脳波解析サーバーで解析される側の氏名に基づいて慰労者リスト記憶手段に研究された内容を更新するステップ、功績認定サーバーがポイント査定期間、重要度ポイント、難易度ポイント、評価ポイントを乗算して算出したポイント量を、改善者リスト記憶手段に記憶された研究した内容に基づいた改善ポイントに加算更新するステップ、功績認定サーバーが前記算出したポイント量を、慰労者リスト記憶手段に記憶された研究された内容に基づいた慰労ポイントに加算更新するステップ、功績認定サーバーが、改善名誉賞名と改善ポイントが対応付けて記憶された改善名誉賞リスト記憶手段から、加算更新後の改善者のポイントの範囲内の改善ポイントを有する改善名誉賞名を検索して改善名誉賞リストのファイルを作成し、当該改善名誉賞リストのファイルを改善者の電子メールの添付ファイルとして改善者に送付するステップ、功績認定サーバーが、慰労金と慰労ポイントが対応付けて記憶された慰労金リスト記憶手段から、加算更新後の慰労者のポイントの範囲内の慰労ポイントを有する慰労金を検索して慰労金リストのファイルを作成し、当該慰労金リストのファイルを慰労者の電子メールの添付ファイルとして慰労者に送付するステップを含むことを特徴とする功績認定システム。
【発明の詳細な説明】
【技術分野】
【０００１】
この発明は、インターネット上の功績をたたえるビジネスモデル方法に関する。
【背景技術】
【０００２】
現在では、技術革新が進み、研究施設や提携先を豊富に持つ大企業系列の会社や有名大学などを中心に撮影技術や人間の脳波をコンピュータで解析する研究なども進んでいる。こうした取り組みは犯罪捜査の判明や発生動作のメカニズムの解明などに多いに役だてることができる反面、著作権や特許権などの知的財産権の盗み撮りや未踏ソフトウェア創造事業、中小商業ビジネスモデル支援事業、ＩＴ活用型経営革新モデル事業といった中小企業や個人を中心とした技術内容やアイデアの優秀性でもらえる補助金、助成金制度を絵に描いた餅にしてしまいかねない危険性、法的規制の対象になりかねないといった問題点もある。
【０００３】
【非特許文献１】「特・実の審査基準及び審査の運用−資料編−平成１６年度」特許庁、Ｐ．１６５、１７８−１８５
【発明の開示】
【発明が解決しようとする課題】
【０００４】
したがって、本発明が解決しようとする課題は、撮影する側、人間の脳波をコンピュータで解析する研究をする側と撮影される側、人間の脳波をコンピュータで解析される側の両方の功績をたたえるビジネスモデル方法を構築して、それをソフトウェアとハードウェア資源とが協働した具体的な手段で実現して、安全と発展に役立てることを課題とする。
【課題を解決するための手段】
【０００５】
課題を解決するための手段として、インターネット上の認定協会で、撮影する側や人間の脳波を脳波解析サーバーで解析する側には、撮影される側や人間の脳波を脳波解析サーバーで解析される側を利用して研究した内容によって獲得した改善ポイント数によって改善名誉賞を与え、撮影される側や人間の脳波を脳波解析サーバーで解析される側には、研究された内容によって撮影する側や人間の脳波を脳波解析サーバーで解析する側が研究した内容によって獲得した慰労ポイント数によって慰労金を与えるサービス方法を提供することにある。具体的には、撮影する側や人間の脳波を脳波解析サーバーで解析する側の氏名と研究した内容、ポイント査定期間、重要度ポイント、難易度ポイント、評価ポイント、撮影される側や人間の脳波を脳波解析サーバーで解析される側の氏名と研究された内容をインターネットを介して功績認定サーバーに入力されるステップ、功績認定サーバーが撮影する側や人間の脳波を脳波解析サーバーで解析する側の氏名に基づいて改善者リスト記憶手段に記憶された改善者の電子メールアドレスを取得するステップ、功績認定サーバーが撮影される側や人間の脳波を脳波解析サーバーで解析される側の氏名に基づいて慰労者リスト記憶手段に記憶された慰労者の電子メールアドレスを取得するステップ、功績認定サーバーが撮影する側や人間の脳波を脳波解析サーバーで解析する側の氏名に基づいて改善者リスト記憶手段に研究した内容を更新するステップ、サーバーが撮影される側や人間の脳波を脳波解析サーバーで解析される側の氏名に基づいて慰労者リスト記憶手段に研究された内容を更新するステップ、功績認定サーバーがポイント査定期間、重要度ポイント、難易度ポイント、評価ポイントを乗算して算出したポイント量を、改善者リスト記憶手段に記憶された研究した内容に基づいた改善ポイントに加算更新するステップ、功績認定サーバーが前記算出したポイント量を、慰労者リスト記憶手段に記憶された研究された内容に基づいた慰労ポイントに加算更新するステップ、功績認定サーバーが、改善名誉賞名と改善ポイントが対応付けて記憶された改善名誉賞リスト記憶手段から、加算更新後の改善者のポイントの範囲内の改善ポイントを有する改善名誉賞名を検索して改善名誉賞リストのファイルを作成し、当該改善名誉賞リストのファイルを改善者の電子メールの添付ファイルとして改善者に送付するステップ、功績認定サーバーが、慰労金と慰労ポイントが対応付けて記憶された慰労金リスト記憶手段から、加算更新後の慰労者のポイントの範囲内の慰労ポイントを有する慰労金を検索して慰労金リストのファイルを作成し、当該慰労金リストのファイルを慰労者の電子メールの添付ファイルとして慰労者に送付するステップで実現する。
【発明の効果】
【０００６】
本発明は、撮影する側、人間の脳波をコンピュータで解析する研究をする側と撮影される側、人間の脳波をコンピュータで解析される側の両方の功績をたたえる効果をもたらす。
【発明を実施するための最良の形態】
【０００７】
第１図は、本発明の実施形態の説明に利用する功績認定システム構成を示す概念説明図である。第２図は、
【実施例１】
【０００８】
本発明の実施例１を以下に記載する。
本発明は、撮影する側、人間の脳波を図１０の脳波解析サーバー１０で解析する研究をする側と撮影される側、人間の脳波を図１０の脳波解析サーバー１０で解析される側の両方の功績をたたえるサービス方法である。
まず、撮影される側や人間の脳波を図１０の脳波解析サーバー１０で解析される側のＡ氏が頭の中で考えたものが以下のとおりであったとする。
「記事保存方法で、ユーザが、該記事の文章中に所定のキーワードが存在するか否かを判断し、存在した場合に保存指令を記事保存実行手段に与えるステップ、前記記事保存実行手段が、保存指令が与えられた記事を記事記憶手段に記憶するステップから構成される記事保存方法。」
撮影する側や人間の脳波を図１０の脳波解析サーバー１０で解析する側のＢ氏は、撮影される側や人間の脳波を図１０の脳波解析サーバー１０で解析される側のＡ氏の頭の中で考えた上記を人間の脳波を解析する図１０の脳波解析サーバー１０でＡ氏の頭の中で考えた上記内容を図１０の脳波解析サーバー端末１１に表示させ、それを
「受信手段が、通信ネットワークを介して配信される記事を受信するステップ、表示手段が、受信した記事を表示するステップ、記事保存判断手段が、該記事の文章中に所定のキーワードが存在するか否かを判断し、存在した場合に保存指令を記事保存実行手段に与えるステップ、前記記事保存実行手段が、保存指令が与えられた記事を記事記憶手段に記憶するステップから構成されるネットワーク配信記事保存方法。」
と改善して特許申請して、特許取得したとする。そして、特許効果期間が１８０日であったとする。また、改善した内容の重要度ポイントが５段階評価で、１重要でない、２それほど重要でない、３一応重要である、４とても重要である、５非常に重要であるの中で、３一応重要である、難易度ポイントが５段階評価で、１易、２やや易、３ふつう、４やや難、５難の中で、２やや易、評価ポイントが５段階評価で、１効果がない、２それほど効果がない、３一応効果がある、４とても効果がある、５非常に効果があるの中で、３一応効果があるであったとする。この場合、認定協会の端末２などから、撮影する側や人間の脳波をコンピュータで解析する側の氏名「Ｂ」と研究した内容「ネットワーク配信記事保存方法」、ポイント査定期間「１８０日」、重要度ポイント「３」、難易度ポイント「２」、評価ポイント「３」、撮影される側や人間の脳波をコンピュータで解析される側の氏名「Ａ」と研究された内容「記事保存方法」をインターネット３を介して功績認定サーバー１に入力される。
次に、功績認定サーバー１が、図２から撮影する側や人間の脳波をコンピュータで解析する側の氏名「Ｂ」に基づいて改善者リスト記憶手段６に記憶された改善者の電子メールアドレス「B＠bb.bbb.com」を取得する。
次に、功績認定サーバー１が、図３から撮影される側や人間の脳波をコンピュータで解析される側の氏名「A」に基づいて慰労者リスト記憶手段７に記憶された慰労者の電子メールアドレス「A＠aa.aaa.com」を取得する。
次に、功績認定サーバー１が撮影する側や人間の脳波をコンピュータで解析する側の氏名「Ｂ」に基づいて改善者リスト記憶手段６に研究した内容「ネットワーク配信記事保存方法」を更新する。その結果は図４となる。
次に、功績認定サーバー１が撮影される側や人間の脳波をコンピュータで解析される側の氏名「Ａ」に基づいて慰労者リスト記憶手段７に研究された内容「記事保存方法」を更新する。その結果は図５となる。
次に、功績認定サーバー１がポイント査定期間「１８０日」、重要度ポイント「３」、難易度ポイント「２」、評価ポイント「３」を乗算してポイント量を算出する。その結果はポイント量180×3×2×3＝3240となる。更に算出したポイント量3240を、改善者リスト記憶手段６に記憶された研究した内容に基づいた改善ポイントに加算更新する。その結果は図６となる。
次に、功績認定サーバー１が前記算出したポイント量3240を、慰労者リスト記憶手段７に記憶された研究された内容に基づいた慰労ポイントに加算更新する。その結果は図７となる。
次に、功績認定サーバー１が、図８にある改善名誉賞名と改善ポイントが対応付けて記憶された改善名誉賞リスト記憶手段８から、加算更新後の改善者「Ｂ」のポイント3240の範囲内の改善ポイントを有する改善名誉賞名「銅賞」を検索して改善名誉賞リストのファイルを作成し、当該改善名誉賞リストのファイルを改善者「Ｂ」の電子メール「B＠bb.bbb.com」の添付ファイルとして、インターネット３を介して端末４など改善者「Ｂ」に送付する。
次に、功績認定サーバー１が、図９にある慰労金と慰労ポイントが対応付けて記憶された慰労金リスト記憶手段９から、加算更新後の慰労者「Ａ」のポイント3240の範囲内の慰労ポイントを有する慰労金「500,000」を検索して慰労金リストのファイルを作成し、当該慰労金リストのファイルを慰労者「Ａ」の電子メール「A＠aa.aaa.com」の添付ファイルとして、インターネット３を介して端末５など慰労者「Ａ」に送付する。
【産業上の利用可能性】
【０００９】
本発明の活用例として、以下が挙げられる。
・研究所
・各種企業
・学校法人
・個人発明家など
【図面の簡単な説明】
【００１０】
【図１】、本発明の実施形態の説明に利用する功績認定システム構成を示す概念説明図
【図２】、改善者リスト記憶手段の内容１
【図３】、慰労者リスト記憶手段の内容１
【図４】、改善者リスト記憶手段の内容２
【図５】、慰労者リスト記憶手段の内容２
【図６】、改善者リスト記憶手段の内容３
【図７】、慰労者リスト記憶手段の内容３
【図８】、改善名誉賞リスト記憶手段の内容
【図９】、慰労金リスト記憶手段の内容
【図１０】脳波解析サーバー構成図
【符号の説明】
【００１１】
１：功績認定サーバー
２：認定協会の端末
３：インターネット
４：改善者の端末
５：慰労者の端末
６：改善者リスト記憶手段
７：慰労者リスト記憶手段
８：改善名誉賞リスト記憶手段
９：慰労金リスト記憶手段
１０：脳波解析サーバー
１１：脳波解析サーバー端末
【図２】
2006331332.tif 000003
【図３】
2006331332.tif 000004
【図４】
2006331332.tif 000005
【図５】
2006331332.tif 000006
【図６】
2006331332.tif 000007
【図７】
2006331332.tif 000008
【図８】
2006331332.tif 000009
【図９】
2006331332.tif 000010
【図１】
2006331332.tif 000011
【図１０】
2006331332.tif 000012
【手続補正書】
【提出日】平成17年10月28日(2005.10.28)
【手続補正１】
【補正対象書類名】特許請求の範囲
【補正対象項目名】請求項１
【補正方法】変更
【補正の内容】
【請求項１】
インターネット上の認定協会で、改善名誉賞や慰労金を与えるサービス方法において、撮影する側や人間の脳波を脳波解析サーバーで解析する側の氏名と研究した内容、ポイント査定期間、重要度ポイント、難易度ポイント、評価ポイント、撮影される側や人間の脳波を脳波解析サーバーで解析される側の氏名と研究された内容がインターネットを介して功績認定サーバーに入力されるステップ、功績認定サーバーが撮影する側や人間の脳波を脳波解析サーバーで解析する側の氏名に基づいて改善者リスト記憶手段に記憶された改善者の電子メールアドレスを取得するステップ、功績認定サーバーが撮影される側や人間の脳波を脳波解析サーバーで解析される側の氏名に基づいて慰労者リスト記憶手段に記憶された慰労者の電子メールアドレスを取得するステップ、功績認定サーバーが撮影する側や人間の脳波を脳波解析サーバーで解析する側の氏名に基づいて改善者リスト記憶手段に研究した内容を更新するステップ、功績認定サーバーが撮影される側や人間の脳波を脳波解析サーバーで解析される側の氏名に基づいて慰労者リスト記憶手段に研究された内容を更新するステップ、功績認定サーバーがポイント査定期間、重要度ポイント、難易度ポイント、評価ポイントを乗算して算出したポイント量を、改善者リスト記憶手段に記憶された研究した内容に基づいた改善ポイントに加算更新するステップ、功績認定サーバーが前記算出したポイント量を、慰労者リスト記憶手段に記憶された研究された内容に基づいた慰労ポイントに加算更新するステップ、功績認定サーバーが、改善名誉賞名と改善ポイントが対応付けて記憶された改善名誉賞リスト記憶手段から、加算更新後の改善者のポイントの範囲内の改善ポイントを有する改善名誉賞名を検索して改善名誉賞リストのファイルを作成し、当該改善名誉賞リストのファイルを改善者の電子メールの添付ファイルとして改善者に送付するステップ、功績認定サーバーが、慰労金と慰労ポイントが対応付けて記憶された慰労金リスト記憶手段から、加算更新後の慰労者のポイントの範囲内の慰労ポイントを有する慰労金を検索して慰労金リストのファイルを作成し、当該慰労金リストのファイルを慰労者の電子メールの添付ファイルとして慰労者に送付するステップを含むことを特徴とする功績認定システムのサービス方法。